(57)【要約】      （修正有）【課題】メス部品を取替えることで物品や装飾部品の交換可能な掛合具を提供する。【解決手段】メス部品１、オス部品２及び連結部３からなり、該メス部品は、凹状の嵌合溝１２を設け、その内周に保持凸部１３を等間隔に設け、その反対側表面に装飾を施す加工部とし、該オス部品は、メス部品の嵌合溝内に位置決めする基部を具え  基部の外周の上記保持凸部に対応する位置に嵌合凸部２２を設けると共に、更に基部中央部に上方より外直径がやや小さい接続部を延長形成し、該連結部は、オス部品の延長形成された上記接続部を結合した接合面を具え、オス部品の接続部をメス部品の嵌合溝に挿入してその嵌合凸部を回転してメス部品の保持凸部に勘合して固定する。【選択図】図２
0003145994.tif 000002
【実用新案登録請求の範囲】
【請求項１】
メス部品、オス部品及び連結部からなり、
該メス部品は、一端中央部に縦方向に凹状の嵌合溝を設け、嵌合溝内周の開口に近い位置に、横（内周）方向に少なくとも二つ以上の保持凸部を等間隔で設けると共に、該保持凸部と嵌合溝底の間に位置決め空間を形成し、更に嵌合溝の反対側表面に装飾を施す加工部を設け、
該オス部品は、メス部品の嵌合溝内に位置決めする基部を具え  基部の外周の上記保持凸部に対応する位置の横方向に少なくとも二つ以上の等間隔に配列する嵌合凸部を設けると共に、更に基部中央部に上方より外直径がやや小さい接続部を延長形成し、
該連結部は接合面を具え、接合面はオス部品の延長形成された上記接続部を結合してなることを特徴とする組合せ変更可能な掛合具。
【請求項２】
前記メス部品は、円盤型、星型、ハート型、或いは特定、不特定形状の形を具え、加工部に図形或いは文字をカラー着色、転写或いはレーザー彫刻を施し、また、加工部の表面はジュエリー或いは飾りを形成する部位とし、
オス部品の基部中央部より延長形成する接続部は、連結部の接合面と一体化され、更に電子製品のイヤホーンを連結部に形成してその連結部によりメス部品、オス部品の表面を被覆したことを特徴とする請求項1記載の組合せ変更可能な掛合具。
【請求項３】
該オス部品は、嵌合凸部の各サイドを下から上にガイドする斜面に形成し、オス部品をメス部品に対して捻って嵌合する操作に際して嵌合凸部をガイドし、間隔がやや狭くなる嵌合溝と保持凸部の間を移動すると同時に、嵌合凸部を回してメス部品の保持凸部と位置決めを保持することを特徴とする請求項1記載の組合せ変更可能な掛合具。
【請求項４】
前記連結部の接合面とオス部品の基部より延伸する接続部は、嵌合、挟んで位置決め、ネジによる螺合或いは接着により、個々のパーツとして結合し、
該連結部は、台座を具えて、台座のサイド中央部のリングに紐を通すようにしたことを特徴とする請求項1記載の組合せ変更可能な掛合具。
【請求項５】
前記連結部は、指を通すリングを具え、或いは、該連結部に穴を設けて、該孔に通した紐により携帯電話やデジタルカメラ、或いはその他の携帯式の電子製品を連結するようにしたことを特徴とする請求項1記載の組合せ変更可能な掛合具。
【請求項６】
メス部品、オス部品及び連結部からなり、
該メス部品は、基部中央部に縦方向に凹状の嵌合溝を設け、嵌合溝の内周壁面に横（内周）方向に少なくとも一つ以上のリング状の位置決め溝を設け、位置決め溝と嵌合溝により位置決め空間を形成し、基部の反対側表面に装飾を施す加工部を設け、
該オス部品は、メス部品の嵌合溝内に位置決めする基部を具え、基部の外周面の上記位置決め溝に対応する位置に横（内周）方向に少なくとも一つ以上のリング状凸体を設け、更に基部上方より外直径が比較的小さい接続部を延長形成し、
該連結部は、接合面を具え、接合面はオス部品の上記延長形成した接続部と結合してなることを特徴とする組合せ変更可能な掛合具。
【請求項７】
前記メス部品は、円盤型、星型、ハート型、或いは特定、不特定形状の形を具え、加工部に図形或いは文字をカラー着色、転写或いはレーザー彫刻を施し、また、加工部の表面はジュエリー或いは装飾を形成する部位とし、
オス部品の基部中央部より延伸する接続部は、連結部の接合面と一体化し、更に電子製品のイヤホーンを連結部に形成してその連結部によりメス部品、オス部品の表面を被覆したことを特徴とする請求項6記載の組合せ変更可能な掛合具。
【請求項８】
該オス部品は、嵌合凸部の各サイドを下から上にガイドする斜面に形成し、オス部品をメス部品に対して捻って嵌合する操作に際して嵌合凸部をガイドし、間隔がやや狭くなる嵌合溝と保持凸部の間を移動すると同時に、嵌合凸部を回してメス部品の保持凸部と位置決めを保持することを特徴とする請求項6記載の組合せ変更可能な掛合具。
【請求項９】
前記連結部の接合面とオス部品の基部より延伸する接続部は、嵌合、挟んで位置決め、ネジで螺合或いは接着によって個々のパーツとして結合し、
該連結部は台座を具え、台座のサイド中央部のリングに紐を通すようにしたことを特徴とする請求項6記載の組合せ変更可能な掛合具。
【請求項１０】
前記連結部は、指を通すリングを具え、或いは、該連結部に穴を設けて、該孔に通した紐により携帯電話やデジタルカメラ、或いはその他の携帯式の電子製品を連結するようにしたことを特徴とする請求項6記載の組合せ変更可能な掛合具。
【請求項１１】
メス部品、オス部品及び連結部からなり、
該メス部品は、基部の中央部に縦方向に凹状の嵌合溝を設け、嵌合溝の内周壁面に横（内周）向きにネジ溝を形成し、ネジ溝と嵌合溝により位置決め空間を形成し、これらの反対側表面に装飾を施す加工部を設け、
該オス部品は、メス部品の嵌合溝内に位置決めする基部を具え、基部の外周にネジ溝に対応するネジ溝を設け、基部の中央部より上方に外側直径がやや小さい接続部を延長形成し、
該連結部は、接合面を具え、接合面はオス部品の延長形成された接続部と一体化、或いは個々のパーツとして結合して形成されたことを特徴とする組合せ変更可能な掛合具。
【請求項１２】
前記メス部品の基部は、円盤型、星型、ハート型、或いは特定、不特定形状とし、加工部に図形或いは文字をカラー着色、転写或いはレーザー彫刻を施し、また、加工部の表面をジュエリー或いは装飾を形成する部位とし、
オス部品の基部中央部より延長形成された接続部は連結部の接合面と一体化され、更に電子製品のイヤホーンの連結部がメス部品、オス部品の表面を被覆することを特徴とする請求項11記載の組合せ変更可能な掛合具。
【請求項１３】
該オス部品は、嵌合凸部の各サイドを下から上にガイドする斜面に形成し、オス部品をメス部品に対して捻って嵌合する操作に際して嵌合凸部をガイドし、
間隔がやや狭くなる嵌合溝と保持凸部の間を移動すると同時に、嵌合凸部を回してメス部品の保持凸部と位置決めを保持することを特徴とする請求項11記載の組合せ変更可能な掛合具。
【請求項１４】
前記連結部の接合面とオス部品の基部より延伸する接続部は、嵌合、挟んで位置決め、ネジで螺合或いは接着によって、個々のパーツとして結合し、
該連結部は台座を具有し、台座のサイド中央部のリングに紐を通すようにしたことを特徴とする請求項11記載の組合せ変更可能な掛合具。
【請求項１５】
前記連結部は、指を通すリングを具え、或いは該連結部に紐を通す穴を設けて、該紐により携帯電話やデジタルカメラ、或いはその他の携帯式の電子製品を固定するようにしたことを特徴とする請求項11記載の組合せ変更可能な掛合具。
【考案の詳細な説明】
【技術分野】
【０００１】
本考案は、組合式掛合具の構造に関し、特にオス・メス掛合具が連結部を簡易に組合せ、取り外すことで、ユーザーのニーズや様々な用途及び使用場所に応じて、弾性的に変更、メス部品の仕様交換することで、連結部全体の使用上の機能及び効果をアップすることができる、組合式掛合具の構造に関する。
【背景技術】
【０００２】
現在、携帯電子機器やカメラなどを携行する機会が多いことからこれらの物品をベルトなどに連結するための掛合具を使用することが多くなっている。その多くはオス、メス掛合具によって、帯状物体(ベルト、布製ベルト或いは紐など)の両端を連結して接続し、或いは一端を該帯状物体に固定する。オス、メス掛合具を物品に固定した後、該帯状物体の締め具合を調整或いは二つの帯状物体を締め付けて固定する目的を形成する。リュック、旅行カバン、ショルダーバッグの肩紐、ヘルメット、自転車器具(水筒、ツールバッグ或いは物入れボックスなど)、或いはその他の帯状物体によって物品を固定する際に使用する。一般的に異なるタイプの掛合具は、異なる掛合方法があり、それぞれに具有する機能が異なり、用途にも差異がある。
【０００３】
小型の電子製品(ウォークマン、携帯電話、携帯型ゲーム機、デジタルカメラ或いはその他の携帯型電子製品など)及び該周辺関連パーツは、簡易構造のオス、メス掛合具を介して連結するものが多く、組立が簡単且つ迅速であり、掛合した後はしっかりと安定することが求められる。ユーザーは、掛合具によってこれらの物品を固定し、便利に簡易に携帯使用することができる。更に、上述のオス、メス掛合具は一般のアクセサリー(キーホルダー、携帯ストラップなど)と組み合わせて使用することで、特殊で目新しいビジュアル効果をもたらし、消費を刺激し、製品の競争力をアップし、該機能性を高める。従来構造は電子製品に用いる掛合具は全て一体型或いは個々のパーツをネジ止めで組み合わせるものである。一部の製品にゴムでネジの一部を包み、更に電子製品の底部或いはアクセサリーパーツと螺合する穴を設けるものがあり、それらの固定操作は、手動で一つの位置決め穴に固定する。良い固定方法ではあるが、すばやく組み立て、分解することができないため、更なる改善が必要であった。
【特許文献１】特開平３−２８４２１６号公報
【考案の開示】
【考案が解決しようとする課題】
【０００４】
前記従来構造の欠点を解決するため、本考案の第１の目的は、ユーザーのニーズや様々な用途及び使用場所に応じて、変更したり、メス部品の仕様を変えたりすることで、連結部全体の使用上の機能及び効果や、製品の競争力をアップする組合式掛合具構造を提供することにある。
本考案の第2の目的は、メス部品に加工部を設置することで、ユーザーの好みによる装飾を施すことのできる組合式掛合具構造を提供することにある。
【課題を解決するための手段】
【０００５】
前記課題を解決するために、本考案は組合式掛合具の構造を提供するものであり、第一の目的を解決するために、メス部品は特定或いは不特定形状型の基部に嵌合溝を具有し、嵌合溝内に少なくとも二つ以上の保持凸部を設け、且つ嵌合溝と保持凸部に位置決め空間を形成する。オス部品はメス部品の位置決め空間内に収納し、基部外周縁の横方向に少なくとも二つ以上の嵌合凸部を設け、対応する保持凸部に嵌合回転する。基部上方より接続部を延伸し、連結部は接合面を具有し、該接合面は接続部と結合位置決めする組立式掛合具の構造である。
【０００６】
前記第二の目的を解決するために、メス部品基部の対応する嵌合溝の別側に加工部を設け、該加工部はカラー着色、転写或いはレーザー彫刻などの彫刻方法で図形或いは文字を該表面に表示する。また、予め完成品図を提供することで、ユーザーが自らメス部品に色づけすることができる。また、加工部表面にジュエリー或いは飾りを貼る、嵌めることができるなど、好みによりメス部品の仕様と形態を組み合わせることができる組立式掛合具の構造である。
【考案の効果】
【０００７】
本考案は、ユーザーのニーズや様々な用途及び使用場所に応じて、変更したり、メス部品の仕様を変えたりすることで、連結部全体の使用上の機能及び効果や、製品の競争力をアップすることができる。また、メス部品に加工部を設置することで、ユーザーの好みによる装飾を施すことができる、簡易且つ素早く組立、分解できる。
【考案を実施するための最良の形態】
【０００８】
図1、図2に示すのは、本考案の第一実施例の立体外観図及び立体分解図である。本考案はメス部品1、オス部品2及び連結部3により構成する。
【０００９】
該メス部品1は、基部11の中央部に縦方向に凹状の嵌合溝12を設け、嵌合溝12の内部周辺の開口に近い位置に、横方向に少なくとも二つ以上の保持凸部13を等間隔で配列する。保持凸部13と嵌合溝12で位置決め空間10を形成する。更に、基部11の嵌合溝12の反対側表面に加工部14を設ける。該加工部14はカラー着色、転写或いはレーザー彫刻などの加工方法を用いて、図形或いは文字をクリアに該表面に表示する。また、ユーザーは好みにより加工部14の表面にジュエリー或いはその他の装飾物品を飾ることができるほか、メス部品1の仕様と形態を選択・組み合わせることができる(図3を参照)。
【００１０】
該オス部品2は、メス部品1の嵌合溝12内に位置決めする基部21を具え、基部21の外側周りの保持凸部13と対応する位置に横（内周）方向に少なくとも二つ以上の等間隔に配列され、該保持凸部に嵌合する嵌合凸部22を設ける。該嵌合凸部22のサイドに下から上に導斜面221を形成し、基部21の中央から上方に向けて、外側直径がやや小さい接続部23を延長形成する(図3を参照)。
【００１１】
連結部3は、少なくとも一つ以上の接合面30を具え、接合面30とオス部品2の延伸する接続部23は一体成型、或いは個々のパーツを結合して構成する。連結部3はユーザーのニーズ或いはデザインに応じて、該数量の増減及び全体形状の構造を変更し、連結部3は、オス部品2と共に電子製品或いはアクセサリーを変更或いは交換することができる。
【００１２】
上述の連結部3とオス部品2の接続部23を結合するには、嵌合、挟持、ネジ締め或いは接着などの方法がある。本考案の最良実施例は、連結部3とオス部品2を一体型として説明しているが、実際に応用する際は、これらに限られない。連結部3とオス部品2を個々のパーツとして結合しても良い。これらは本考案の特徴ではないため、明細書ではこれ以上言及しない。
【００１３】
本考案を構成する際、まず電気製品のイヤホーン31の連結部3のオス部品2の基部21をメス部品1の位置決め空間10に嵌合し、嵌合凸部22が位置決め空間10に沿って、嵌合溝12の内側壁から内側に移動して位置決めするまで、連結部3を捻って回し、同時に基部21のサイドにある導斜面221により嵌合凸部22を嵌合溝12と保持凸部13の間にガイドする。また、嵌合凸部22の頂面と対応する保持凸部13の底面位置に嵌合することで、安定して位置決めを形成し、組立を完了する。
【００１４】
また、オス部品2を嵌合する過程で、該基部21は嵌合凸部22を回してメス部品1の保持凸部13に固定し、同時に基部21を完全にメス部品1の位置決め空間10内に収納した後、再び比較的大きい外側直径の連結部3のイヤホーン31のケースで、メス部品1、オス部品2の表面を遮蔽することで、全体の外観を更に滑らかで美観を伴う形態とする。
【００１５】
使用時には、連結部3によりイヤホーン31から延長される音声ケーブル311を外部のオーディオ再生装置と接続すれば、放送、音楽などを聴くことができる。更に連結部3をメス部品1から分離する場合、連結部3にひねりを加えて回し、オス部品2の嵌合凸部22を保持凸部13に沿って、嵌合溝12のやや広い位置まで移動して、基部21を位置決め空間10内から出せば、メス部品1とオス部品2を分離することができ、簡単に素早く外すことができる。
【００１６】
また、オス部品2の基部21、嵌合凸部22とメス部品1の嵌合溝12、保持凸部13はそれぞれ個々のパーツとして構成することにより、効果的にメス部品1、オス部品2及び該連結部3を長時間使用した際に受ける汚損或いは破壊の問題を解決することができる。また、個々のパーツを構成する場合、任意に消耗材料としてそれぞれを交換することができる。メス部品1の基部11は円盤型、星型、ハート型、或いは特定、不特定形状の形に形成することができるため、本考案の組立式掛合具はアクセサリーとして、或いは電子製品に合わせて、ユーザーのニーズや各種の用途、或いは使用場所に応じて、変更、交換することができ、応用性機能性に優れるだけでなく、特殊且つ新奇なビジュアル効果が生まれ、全体的な使用上の機能と効果をアップし、消費を刺激、製品競争を高めることができる。
【００１７】
図2、図3に示すのは本考案第一実施例の立体分解図及び第二実施例の使用時立体分解図である。メス部品1の基部11はハート型を呈し、連結部3はアクセサリーの台座32であり、台座32のサイド側中央部のリング321は紐322を通して使用することができる。こうすれば、連結部3はオス部品2を回すことでメス部品1に保持することができる。本考案の組合せ変更可能な掛合具はアクセサリーのペンダント、商標タグにすることができ、ユーザー或いは幼児の装飾、識別用として使用することができる。
【００１８】
図2、図3、図4に示すのは、本考案第一実施例の立体分解図、第二実施例の使用時の立体分解図及び、第三実施例のオス部品と連結部の構造略図である。連結部3はアクセサリーの位置決め柱33として、オス部品2がメス部品1を保持して(図に未掲載)回した後、位置決め柱33をピアスの針としてユーザーの耳に通し、或いは特定のコルクや発泡スチロールなど、特定の軟質構造に画鋲として使用することができ、装飾、位置決めなどの役割を果たす。
【００１９】
図2、図3、図5に示すのは、本考案第一実施例の立体分解図、第二実施例の使用時の立体分解図及び第四実施例のオス部品と連結部の構造略図である。該連結部3は、アクセサリー部品のリング34として、オス部品2を回してメス部品1を保持(図に未掲載)したあと、ユーザーは指をリング34の中に入れて使用する。更にメス部品1の基部11は特定或いは不特定の形状を具有し、指輪として使用することができる。
【００２０】
図2、図3、図6に示すのは、本考案第一実施例の立体分解図、第二実施例の使用時の立体分解図及び第五実施例のオス部品と連結部の構造略図である。該連結部3は、アクセサリーの部品として、連結部に穴(図に未掲載)を設け、更に紐35(本実施例では織紐)を通した後、携帯電話やデジタルカメラ、或いはその他の携帯式の電子製品につけることができる。
【００２１】
図1、図2、図3、図7に示すのは、本考案第一実施例の立体外観図、本考案第一実施例の立体分解図、第二実施例の使用時の立体分解図及び本考案第六実施例の構造略図である。本考案はメス部品1、オス部品2及び連結部3で組み合わされる。
【００２２】
該メス部品1は、基部11の中央部に縦方向に凹状の嵌合溝12を設け、嵌合溝12の内部壁面上に横向き（内周方向）に少なくとも一つ以上のリング状を呈す位置決め溝15を凹設し、位置決め溝15と嵌合溝12の位置する箇所に位置決め空間10を形成し、更に基部11の嵌合溝12と相対する別側表面に加工部14を設ける。
【００２３】
該オス部品2は、メス部品1の嵌合溝12内に位置決めする基部21を具有し、基部21の外側に位置決め溝15に対応する位置に横方向に少なくとも一つ以上のリング状凸体24を設ける。基部21の中央部より上方に外側直径がやや小さい接続部23を延伸する。
【００２４】
該連結部3は、少なくとも一つ、或いは一つ以上の接合面30を具有し、接合面30はオス部品2が延伸する接続部23と一体化、或いは個々のパーツとして結合して作る。
【００２５】
本考案を組立てるとき、まず電子製品イヤホーン31の連結部3のオス部品2基部21をメス部品1の位置決め空間10に嵌合して、リング状凸体24をしっかりと嵌合溝12の内側壁面上にある対応する位置決め溝15内に位置決めし、本考案最良実施の組立が完成する。使用する際、メス部品1の加工部14に図形或いは文字をカラー着色、転写或いはレーザー彫刻をするほか、予め完成品図を固定することにより、ユーザーが自らメス部品1を加工することもできる。また、加工部14の表面にジュエリー或いは飾りを貼る、嵌めることができるなど、好みによりメス部品1の仕様と形態を組み合わせることができ、特殊で新奇的なビジュアル効果が生まれる。本考案の明細書及び図式の内容にて行う変更や調整を行っても、本考案の重要な意義は失われず、本考案の範囲に含まれる。
【００２６】
図1、図2、図3、図8に示すのは、本考案第一実施例の立体外観図、第一実施例の立体分解図、第二実施例の使用時の立体分解図及び第七実施例の構造略図である。本考案はメス部品1、オス部品2及び連結部からなる。
【００２７】
該メス部品1は基部11の中央部に縦方向に凹の嵌合溝12を設け、嵌合溝12の内側壁面に横向きにネジ溝16を形成する。ネジ溝16と嵌合溝12により位置決め空間10を形成し、基部11の他面に加工部14を設ける。
【００２８】
該オス部品2は、メス部品1の嵌合溝12内に位置決めする基部21を具え、基部21の外側にメス部品のネジ溝16に対応するネジ溝25を設ける（図８参照）。基部21の中央部より上方に外側直径がやや小さい接続部23を延伸する。
【００２９】
該連結部3は少なくとも一つ以上の接合面30を具有し、接合面30はオス部品2が延伸する接続部23と一体化、或いは個々のパーツとして結合して作る。
【００３０】
本考案を組立てるとき、まず電子製品イヤホーン31の連結部3を、オス部品2基部21をメス部品1の位置決め空間10内に嵌合して、オス部品2のネジ溝25がメス部品1の嵌合溝12の内側にある対応するネジ溝16としっかりと螺合し、本考案最良実施の組立が完成する。使用する際、メス部品1の加工部14に図形或いは文字をカラー着色、転写或いはレーザー彫刻をするほか、予め完成品図を提供することで、ユーザーが自らメス部品1に色づけすることもできる。また、加工部14の表面にジュエリー或いは飾りを貼る、嵌めることができるなど、好みによりメス部品1の仕様と形態を組み合わせることができ、特殊で新奇的なビジュアル効果が生まれる。本考案の明細書及び図式の内容にて行う変更や調整を行っても、本考案の重要な意義は失われず、本考案の範囲に含まれる。
【００３１】
本考案の組合せ変更可能な掛合具は、オス部品2の基部21が連結部3と一体化、或いは個々のパーツとして嵌合、挟持して位置決め、螺合固定、或いは接着して結合し、回転させてメス部品1と掛合する。当該構造設計により、簡単にメス部品1と組立、分解する連結部3は電子製品のイヤホーン31或いはアクセサリーのペンダントやピアス、指輪などの物品に用いることができる。また、メス部品1の基部11は特定或いは不特定形状、構造を具有するため、同時にユーザーのニーズ、各種用途及び使用場所に応じて任意に変更し、交換できるため、応用性、功能性に富み、特殊的新奇的なビジュアル効果をもたらすことで、全体の使用上の機能及び効果をアップし、製品競争力を上げることができる。更に、本考案は電子製品或いは一般のアクセサリーに使用することができ、従来技術のロック固定に比べ、下記のように改善している：
【００３２】
本考案の連結部3は、オス部品2の基部21をメス部品1の位置決め空間10に嵌合する時、連結部2に力を入れてひねって回し、基部21のサイドにある嵌合凸部22を幅がやや狭い嵌合溝12と保持凸部13の間に位置し、同時に保持凸部13と重なるようにして掛合することにより、安定してしっかりと回転保持可能であり、簡単に組立、分解することが出来る。
【００３３】
本考案は、連結部3にひねりの力を加えてオス部品2を回し、メス部品1を掛合して、位置決め保持することで、他のツールを使ってメス部品1を位置決め保持する必要がない。このような構造設計はオス部品2を通じて、メス部品1を連結部3と簡単に組立、分解することができる。また、ユーザーのニーズや様々な用途や使用場所に応じて、メス部品1の仕様及び形態を随時素早く柔軟に変更、交換することができる。
【００３４】
以上の実施例による本考案の詳細な説明は本考案の範囲を制限するものではない。本技術に熟知する者が、本考案の範囲内にて行う変更や調整を行っても、本考案の重要な意義は失われず、本考案の範囲に含まれる。
【図面の簡単な説明】
【００３５】
【図１】本考案の第一実施例の立体外観図である。
【図２】本考案の第一実施例の立体分解図である。
【図３】本考案の第二実施例の使用時の立体分解図である。
【図４】本考案の第三実施例のオス部品と連結部の構造略図である。
【図５】本考案の第四実施例のオス部品と連結部の構造略図である。
【図６】本考案の第五実施例のオス部品と連結部の構造略図である。
【図７】本考案の第六実施例の構造略図である。
【図８】本考案の第七実施例の構造略図である。
【符号の説明】
【００３６】
1メス部品
10位置決め空間
11基部
12嵌合溝
13保持凸部
14加工部
15位置決め溝
16ネジ溝
2オス部品
21基部
22嵌合凸部
221導斜面
23接続部
24リング凸体
25ネジ溝
3連結部
30接合面
31イヤホーン
311音声ケーブル
32台座
321  リング
322紐
33  位置決め柱
34リング
35紐
【図１】
0003145994.tif 000003
【図２】
0003145994.tif 000004
【図３】
0003145994.tif 000005
【図４】
0003145994.tif 000006
【図５】
0003145994.tif 000007
【図６】
0003145994.tif 000008
【図７】
0003145994.tif 000009
【図８】
0003145994.tif 000010